(57)【要約】      （修正有）【課題】湿度管理を行うと共に、腕時計のデザイン性を向上する。【解決手段】腕時計は、ケースと、ケース内に配置されており、複数の表示項目が表された日車４２と、ケース内において日車４２の上方に配置されており、日車４２の表示項目を外部から視認させる窓が一部に形成される文字板と、ケース内の湿気を吸収する乾燥剤と、を有し、少なくとも１つの表示項目の少なくとも一部が、ケース内の湿度状態を示す湿度インジケータ９０により表されている。【選択図】図９
2020176973.tif 000002
【特許請求の範囲】
【請求項１】
ケースと、
前記ケース内に配置されており、複数の表示項目が表された表示板と、
前記ケース内において前記表示板の上方に配置されており、前記表示項目を外部から視認させる窓が一部に形成される化粧板と、
前記ケース内の湿気を吸収する乾燥剤と、
を有し、
少なくとも１つの前記表示項目の少なくとも一部が、前記ケース内の湿度状態を示す湿度状態表示材料により表されている、
電子機器。
【請求項２】
前記表示板は、前記表示項目として日にちを示す文字が表された日車である、
請求項１に記載の電子機器。
【請求項３】
前記表示板は、前記表示項目として曜日を示す文字が表された曜車である、
請求項１に記載の電子機器。
【請求項４】
前記湿度状態表示材料で表された前記表示項目の前記少なくとも一部は、土曜日又は日曜日を示す文字の少なくとも一部を示す、
請求項３に記載の電子機器。
【請求項５】
前記表示板は、前記表示項目として現在設定されているタイムゾーンを示す文字が表されたタイムゾーン表示板である、
請求項１に記載の電子機器。
【請求項６】
前記湿度状態表示材料で表された前記表示項目の前記少なくとも一部は、協定世界時を示す文字の少なくとも一部を示す、
請求項５に記載の電子機器。
【請求項７】
前記湿度状態表示材料で表された前記表示項目の前記少なくとも一部は、前記表示板の基準位置を合わせるために用いられる基準位置合わせマークの少なくとも一部を示す、
請求項１〜６のいずれか１項に記載の電子機器。
【請求項８】
前記湿度状態表示材料で表された前記表示項目の前記少なくとも一部は、文字部分の背景を示す、
請求項１〜７のいずれか１項に記載の電子機器。
【請求項９】
電荷を帯びた第１のエレクトレット膜が設けられる第１のエレクトレット基板と、前記第１のエレクトレット膜に対向して配置される第１の電極が設けられる第１の対向基板と、前記第１のエレクトレット基板と共に回転する回転軸と、を含む静電誘導型の発電装置を含む、
請求項１〜８のいずれか１項に記載の電子機器。
【請求項１０】
前記電子機器の姿勢に応じて回転すると共に、前記回転軸を回転させる回転錘と、
前記発電装置による発電量を検出する発電量検出回路と、
前記回転錘の回転、又は該回転錘の回転に伴い回転する回転機構の回転を検出する回転検出回路と、
前記表示板を移動させる表示板移動回路と、
前記表示板移動回路を制御する制御回路と、
を有し、
前記制御回路は、前記回転検出回路が所定の回転を検出した際に前記発電量検出回路が検出した前記発電量に基づいて、前記表示板駆動回路を制御する、
請求項９に記載の電子機器。
【請求項１１】
前記表示板を移動させる表示板移動回路と、
前記表示板移動回路を制御すると共に、通常モードと、該通常モードの機能の少なくとも一部を制限した制限モードとを切り替える制御回路と、
を有し、
前記制御回路は、前記制限モードにおいて、前記窓を介して前記湿度状態表示材料が外部から視認される位置に前記表示板が移動するように前記表示板駆動回路を制御する、
請求項１〜８のいずれか１項に記載の電子機器。
【請求項１２】
前記表示板を移動させる表示板移動回路と、
前記表示板移動回路を制御する制御回路と、
を有し、
前記制御回路は、前記電子機器の使用期間に応じて、前記窓を介して前記湿度状態表示材料が外部から視認される位置に前記表示板を移動させる頻度を変える、
請求項１〜８のいずれか１項に記載の電子機器。
【請求項１３】
電荷を帯びた第２のエレクトレット膜が設けられる第２のエレクトレット基板と、前記第２のエレクトレット膜に対向して配置される第２の電極が設けられる第２の対向基板と、前記第２のエレクトレット基板と共に回転する回転軸と、を含む静電誘導型の駆動装置を含む、
請求項１〜１２のいずれか１項に記載の電子機器。
【発明の詳細な説明】
【技術分野】
【０００１】
本発明は、電子機器に関する。
【背景技術】
【０００２】
腕時計等の電子機器においては、機器内部の湿度を管理することが求められる場合がある。例えば、特許文献１には、文字板上に防湿性確認用の塩化コバルトが設けられる腕時計が開示されている。
【先行技術文献】
【特許文献】
【０００３】
【特許文献１】特開昭５１−６０６６号公報
【発明の概要】
【発明が解決しようとする課題】
【０００４】
ここで、塩化コバルト等からなる湿度状態表示材料は、湿度に応じて変色するものであり、採用する材料によって色が決まっている。そのため、湿度状態表示材料を文字板上等、外部から目立つ位置に設けると、腕時計のデザインに制約がかかったり、デザイン性が低下したりしてしまうおそれがある。
【０００５】
本発明は上記課題に鑑みてなされたものであって、その目的は、湿度管理を行うと共に、デザイン性の向上を図ることにある。
【課題を解決するための手段】
【０００６】
上記課題を解決すべく本出願において開示される発明は種々の側面を有しており、それら側面の代表的なものの概要は以下の通りである。
【０００７】
（１）ケースと、前記ケース内に配置されており、複数の表示項目が表された表示板と、前記ケース内において前記表示板の上方に配置されており、前記表示項目を外部から視認させる窓が一部に形成される化粧板と、前記ケース内の湿気を吸収する乾燥剤と、を有し、少なくとも１つの前記表示項目の少なくとも一部が、前記ケース内の湿度状態を示す湿度状態表示材料により表されている、電子機器。
【０００８】
（２）（１）において、前記表示板は、前記表示項目として日にちを示す文字が表された日車である、電子機器。
【０００９】
（３）（１）において、前記表示板は、前記表示項目として曜日を示す文字が表された曜車である、電子機器。
【００１０】
（４）（３）において、前記湿度状態表示材料で表された前記表示項目の前記少なくとも一部は、土曜日又は日曜日を示す文字の少なくとも一部を示す、電子機器。
【００１１】
（５）（１）において、前記表示板は、前記表示項目として現在設定されているタイムゾーンを示す文字が表されたタイムゾーン表示板である、電子機器。
【００１２】
（６）（５）において、前記湿度状態表示材料で表された前記表示項目の前記少なくとも一部は、協定世界時を示す文字の少なくとも一部を示す、電子機器。
【００１３】
（７）（１）〜（６）のいずれかにおいて、前記湿度状態表示材料で表された前記表示項目の前記少なくとも一部は、前記表示板の基準位置を合わせるために用いられる基準位置合わせマークの少なくとも一部を示す、電子機器。
【００１４】
（８）（１）〜（７）のいずれかにおいて、前記湿度状態表示材料で表された前記表示項目の前記少なくとも一部は、文字部分の背景を示す、電子機器。
【００１５】
（９）（１）〜（８）のいずれかにおいて、電荷を帯びた第１のエレクトレット膜が設けられる第１のエレクトレット基板と、前記第１のエレクトレット膜に対向して配置される第１の電極が設けられる第１の対向基板と、前記第１のエレクトレット基板と共に回転する回転軸と、を含む静電誘導型の発電装置を含む、電子機器。
【００１６】
（１０）（９）において、前記電子機器の姿勢に応じて回転すると共に、前記回転軸を回転させる回転錘と、前記発電装置による発電量を検出する発電量検出回路と、前記回転錘の回転、又は該回転錘の回転に伴い回転する回転機構の回転を検出する回転検出回路と、前記表示板を移動させる表示板移動回路と、前記表示板移動回路を制御する制御回路と、を有し、前記制御回路は、前記回転検出回路が所定の回転を検出した際に前記発電量検出回路が検出した前記発電量に基づいて、前記表示板駆動回路を制御する、電子機器。
【００１７】
（１１）（１）〜（８）のいずれかにおいて、前記表示板を移動させる表示板移動回路と、前記表示板移動回路を制御すると共に、通常モードと、該通常モードの機能の少なくとも一部を制限した制限モードとを切り替える制御回路と、を有し、前記制御回路は、前記制限モードにおいて、前記窓を介して前記湿度状態表示材料が外部から視認される位置に前記表示板が移動するように前記表示板駆動回路を制御する、電子機器。
【００１８】
（１２）（１）〜（８）のいずれかにおいて、前記表示板を移動させる表示板移動回路と、前記表示板移動回路を制御する制御回路と、を有し、前記制御回路は、前記電子機器の使用期間に応じて、前記窓を介して前記湿度状態表示材料が外部から視認される位置に前記表示板を移動させる頻度を変える、電子機器。
【００１９】
（１３）（１）〜（１２）のいずれかにおいて、電荷を帯びた第２のエレクトレット膜が設けられる第２のエレクトレット基板と、前記第２のエレクトレット膜に対向して配置される第２の電極が設けられる第２の対向基板と、前記第２のエレクトレット基板と共に回転する回転軸と、を含む静電誘導型の駆動装置を含む、電子機器。
【発明の効果】
【００２０】
上記本発明の（１）〜（１３）の側面によれば、湿度管理を行うと共に、デザイン性を向上することができる。
【図面の簡単な説明】
【００２１】
【図１】本実施形態に係る腕時計の全体構成の概要を示す平面図である。
【図２】図１のＩＩ−ＩＩ切断線で切断した断面を示す断面図である。
【図３】本実施形態に係る腕時計の全体構成の概要を示すブロック図である。
【図４】本実施形態の静電誘導型変換器を模式的に示す模式図である。
【図５】本実施形態のエレクトレット基板を示す平面図である。
【図６】本実施形態の対向基板を示す平面図である。
【図７】静電誘導型変換器を発電装置として用いた際の作動原理の一例を説明する概略回路図である。
【図８】静電誘導型変換器を静電モータとして用いた際の作動原理の一例を説明する概略回路図である。
【図９】本実施形態の日車の一例を示す平面図である。
【図１０】本実施形態の曜車の一例を示す平面図である。
【図１１】本実施形態の曜車の一例を示す平面図である。
【図１２】本実施形態のタイムゾーン表示板の一例を示す平面図である。
【図１３】本実施形態の日車の回転駆動の制御について説明するブロック図である。
【発明を実施するための形態】
【００２２】
以下、本発明の各実施形態について図面に基づき詳細に説明する。
【００２３】
［腕時計の全体構成］
まず、図１〜図３を参照して、本実施形態に係る腕時計の全体構成の概要について説明する。図１は、本実施形態に係る腕時計の全体構成の概要を示す平面図である。図２は、図１のＩＩ−ＩＩ切断線で切断した断面を示す断面図である。図３は、本実施形態に係る腕時計の全体構成の概要を示すブロック図である。なお、図２においては、指針の配置を分かりやすくするため、秒針２、分針３、時針４がそれぞれ切断線上にある場合の断面を示している。
【００２４】
腕時計１は、図１、図２に示すように、胴３１１や裏蓋３１２を含むケース３１と、ケース３１内に配置された化粧板である文字板３２と、時刻を示す指針である秒針２、分針３、時針４を有する。文字板３２には略字３３や時字３４が設けられている。ケース３１は、高い気密性を有する構造であることが好ましい。例えば、図示は省略するが、胴３１１と裏蓋３１２のいずれか一方が係止部である係止爪を有し、いずれか他方が被係止部である溝を有し、係止爪が溝に嵌ることにより、胴３１１に対する裏蓋３１２の位置決め及び固定がなされる、所謂スナップバック構造を採用するとよい。なお、ケース３１は、ＳＵＳ（Stainless Used Steel、ステンレス）やチタン合金などの金属からなることが好ましい。
【００２５】
また、腕時計１は、ケース３１内において文字板３２の下方に配置されており、少なくとも表示項目である１〜３１の数字が表される表示板である日車４２を有する。また、文字板３２には、日車４２に表される数字を外部から視認させる窓３２０が一部に形成されている。図１においては、９時を示す時字３４の隣に窓３２０が形成されており、窓３２０を介して日車４２に表される数字「３１」が外部から視認される様子を示している。ただし、窓３２０の位置はこれに限られるものではない。また、窓３２０は貫通孔であってもよいし、日車４２に表される数字を外部から視認させる透明材料からなるものであってもよい。なお、日車４２の構成の詳細については後述することとする。
【００２６】
また、ケース３１の３時側の側面にはユーザが種々の操作を行うための操作部材である竜頭８１が配置されている。竜頭８１は、ユーザからの操作を受け付ける。ユーザは竜頭８１を回転させたり、押し引きさせたり等の操作を行うことにより、腕時計１が備える種々の機能を発揮させることができる。
【００２７】
なお、図１に示した腕時計１のデザインは一例である。ここで示したもの以外にも、例えば、ケース３１を丸型でなく角型にしてもよいし、数や配置が任意の操作部材であるボタンを設けてもよい。また、図１においては、指針を秒針２、分針３、時針４の３本としているが、これに限定されるものではなく、秒針２を省略したり、他の表示針等が別途設けられたりしていてもよい。
【００２８】
図２に示すように、腕時計１は、文字板３２を覆うようにガラス等の透明材料により形成された風防３５を有し、風防３５は胴３１１に取り付けられている。また、風防３５の反対側においては裏蓋３１２が胴３１１に取り付けられている。
【００２９】
腕時計１は、図２に示すように、さらに、文字板３２の下方に設けられる、動力機構としてのムーブメント３８を有する。ムーブメント３８は、指針を駆動するための輪列とモータ、少なくとも計時機能を担う制御回路４０（図３参照）等を、地板と呼ばれる枠に一体に組み付けたものである。
【００３０】
また、腕時計１は、図３に示すように、静電誘導型の発電装置である発電装置１００と、電池２０と、制御回路４０と、静電モータ駆動回路５０と、静電誘導型の駆動装置である静電モータ２００と、電磁モータ駆動回路６０と、電磁モータ（ステップモータ）７０とを含む。これらはいずれも地板に組み込まれているとよい。なお、本実施形態においては、発電装置１００が２つ設けられる例について示すが、これに限られるものではない。なお、図１においては、文字板３２に形成される開口３２１、３２２を介して、発電装置１００の一部が外部から視認されており、開口３２３を介して静電モータ２００の一部が外部から視認されている様子を示している。
【００３１】
制御回路４０は、メモリ等を内蔵するマイクロコンピュータであって、メモリに記憶されるプログラムに従って、腕時計１に含まれる各種回路等の動作を制御する。静電モータ駆動回路５０は、制御回路４０により動作が制御され、静電モータ２００を駆動する。静電モータ２００は、輪列５を介して秒針２を運針させる。電磁モータ駆動回路６０は、制御回路４０により動作が制御され、電磁モータ７０を駆動する。電磁モータ７０は、輪列６を介して分針３と時針４を運針させる。
【００３２】
ここで、秒針２は、時刻を示す時刻針としてのみでなく、表示針として使用される場合がある。なお、表示針とは、タイムゾーンやサマータイムの有無、電波の受信状態や電池の残量、各種の表示を行う指針である。秒針２を表示針として使用する場合であっても、分針３と時針４は時刻針として機能する。そのため、秒針２は、分針３、時針４と互いに連動しないように、分針３、時針４と異なるモータや輪列を介して運針する構成とするのが好ましい。また、指針を連続的に流れるように運針させるモータとしては静電モータ２００が好ましく、指針をステップ運針させるモータとしては電磁モータ７０が好ましい。そのため、本実施形態においては、図２に示すように、秒針２を静電モータ２００により運針させ、分針３及び時針４を電磁モータ７０で運針させる構成を採用した。
【００３３】
電池２０は、発電装置１００において生じると共に整流回路６１、６２により整流された電気エネルギーにより駆動する二次電池であるとよい。なお、発電装置１００は必須ではなく、腕時計１が発電装置１００を有しない場合は、電池２０は一次電池であってもよい。
【００３４】
また、腕時計１は、ＧＰＳ（Global Positioning System）衛星などの日付や時刻に関する情報を含む衛星信号を送信する衛星から当該衛星信号を受信し、それに含まれる日付や時刻に関する情報に基づき、時計内部に保持される内部時刻を修正する機能を有していてもよい。また、衛星信号に含まれる情報に基づいて、タイムゾーンを設定する機能を有していてもよい。ただし、これに限られるものではなく、一般的な標準電波を受信して内部時刻を修正する電波時計であってもよいし、こうした時刻修正機能を備えない腕時計であってもよい。
【００３５】
［静電誘導型変換器］
ここで、図４〜図８を参照して、本実施形態の静電誘導型変換器について説明する。図４は、本実施形態の静電誘導型変換器を模式的に示す模式図である。図５は、本実施形態のエレクトレット基板を示す平面図である。図６は、本実施形態の対向基板を示す平面図である。図６においては、静電誘導型変換器を発電装置として用いた場合の対向基板を示している。
【００３６】
ここで、静電誘導型変換器とは、静電誘導を用いて、運動エネルギーと電気エネルギーとを相互に変換する機器を意味しており、発電装置又は駆動装置を指している。その原理は後述するが、静電誘導型変換器に外力を作用させ、運動エネルギーを与えるとそのエネルギーを電気エネルギーに変換して取り出すことができ、これはすなわち発電装置である。また、静電誘導型変換器に電気エネルギーを与えると、そのエネルギーを運動エネルギーとして取り出すことができ、これはすなわち、駆動装置である。なお、本実施形態においては、発電装置１００が発電装置に相当し、静電モータ２００が駆動装置に相当するものである。
【００３７】
静電誘導型変換器は、機械的な回転運動を電気エネルギーに変え、又は電気エネルギーを機械的な回転運動として取り出す。以下、発電装置１００の基本的な構造について説明する。なお、静電モータ２００についても基本的な構造は同様であるため、説明を省略する。
【００３８】
発電装置１００は、導電基板であるエレクトレット基板１１０と、対向基板１２０と、対向基板１３０と、回転軸１５０とを有している。
【００３９】
エレクトレット基板１１０は、円板形状であって、一方の面にエレクトレット膜１１１が設けられており、他方の面にエレクトレット膜１１２が設けられている。以下、エレクトレット基板１１０のうちエレクトレット膜１１１、１１２が設けられる面を、エレクトレット面１１１ａ、１１２ａと呼ぶ。なお、ここで、円板形状とは、その部材が全体としておおむね平坦な円板形状をしていることを指しており、その面内に、適宜の貫通孔が設けられたり、外周部に切り欠きや凸部その他の加工が施されたりすることは差し支えない。
【００４０】
図５に示すように、エレクトレット膜１１１は、周方向に互いに間隔を空けて並ぶように複数設けられている。なお、図示は省略するが、エレクトレット膜１１２も同様に、周方向に互いに間隔を空けて並ぶように複数設けられている。
【００４１】
ここで、エレクトレット膜の材料には、帯電しやすい材料を用い、例えば負電荷に帯電する材料としては酸化珪素や、フッ素樹脂等がある。かかる材料の具体的な一例として、旭硝子株式会社製のフッ素樹脂であるＣＹＴＯＰ（登録商標）が挙げられる。さらに、その他にもエレクトレット膜の材料としては、ポリプロピレン、ポリエチレンテレフタレート、ポリビニルクロライド、ポリスチレン、ポリテトラフルオロエチレン、ポリビニルデンジフルオライド、ポリビニルフルオライド等の高分子材料や、前述の酸化珪素、窒化珪素、酸化窒化珪素等の無機材料も使用することができる。
【００４２】
発電装置１００においては、エレクトレット基板１１０は回転軸１５０の回転に伴い回転する。一方、後述のように、静電モータ２００においては、回転軸１５０はエレクトレット基板１１０の回転に伴い回転する。
【００４３】
対向基板１２０は、円板形状であって、エレクトレット基板１１０のエレクトレット面１１１ａに対向する面に対向電極１２１が設けられている。以下、対向基板１２０のうち対向電極１２１が設けられると共にエレクトレット面１１１ａに対向して配置される面を、電極面１２１ａと呼ぶ。図６に示すように、対向電極１２１は、周方向に互いに間隔を空けて並ぶように複数設けられている。また、対向基板１２０は、その中心に軸孔１２３を有する。軸孔１２３には、回転軸１５０が挿通される。回転軸１５０は、対向基板１２０に対して固定されておらず、対向基板１２０に対して空転する。
【００４４】
なお、図示は省略するが、対向基板１３０も対向基板１２０と同様の構成である。すなわち、対向基板１３０は、円板形状であって、エレクトレット基板１１０のエレクトレット面１１２ａに対向する面に対向電極１３１が設けられている。以下、対向基板１３０のうち対向電極１３１が設けられると共にエレクトレット面１１２ａに対向して配置される面を、電極面１３１ａと呼ぶ。また、対向基板１３０は、回転軸１５０が挿通される軸孔１３３を有している。回転軸１５０は、対向基板１３０に対しても固定されておらず、対向基板１３０に対して空転する。
【００４５】
対向基板１２０と対向基板１３０とは、回転軸１５０が延伸する方向において、エレクトレット基板１１０に対して所定の間隔Ｇを空けて、エレクトレット基板１１０を挟むように配置されている。
【００４６】
なお、エレクトレット膜や対向電極の平面形状は、図５、図６に示したものに限られるものではない。また、例えば、エレクトレット基板１１０や対向基板１２０、１３０に周方向に所定の間隔を空けて並ぶ複数の貫通孔を形成し、それら貫通孔が形成されない領域に、エレクトレット膜や対向電極を配置する構成であってもよい。
【００４７】
図７は、静電誘導型変換器を発電装置として用いた際の作動原理の一例を説明する概略回路図である。図７に示すように、エレクトレット基板１１０に設けられるエレクトレット膜１１１と、対向基板１２０に設けられる対向電極１２１とは所定のわずかな間隔を空けて配置されている。同様に、エレクトレット基板１１０に設けられるエレクトレット膜１１２と、対向基板１３０に設けられる対向電極１３１とは所定のわずかな間隔を空けて配置されている。なお、図７においては、対向基板１２０、１３０の図示は省略している。
【００４８】
また、上述のように、対向基板１２０及び対向基板１３０は、電極が存在する領域と存在しない領域とが周方向に交互に配置される構成であり、エレクトレット基板１１０は、エレクトレット膜が設けられる領域と設けられない領域とが周方向に交互に配置される構成である。
【００４９】
回転軸１５０の回転に伴いエレクトレット基板１１０が回転し、エレクトレット膜１１１と対向電極１２１とが正対する状態とそうでない状態が入れ替わり、かつ、エレクトレット膜１１２と対向電極１３１とが正対する状態とそうでない状態が入れ替わる。なお、回転軸１５０は、例えば、カナを有しており、カナに噛み合う不図示の輪列を介して回転錘１５（図２、図３参照）の回転が伝達されるとよい。そして、回転軸１５０は、回転錘１５の回転に伴い回転するとよい。回転錘１５は、例えば、腕時計１を腕に着用したユーザが歩行等する際のユーザの腕の動きに伴って回転するように設けられているとよい。
【００５０】
また、エレクトレット膜１１１、１１２は、所定の帯電状態となるように形成されている。本実施形態においては、エレクトレット膜１１１、１１２は、共に負電荷を持つように帯電している。
【００５１】
対向基板１２０の対向電極１２１がエレクトレット膜１１１に正対している状態では、エレクトレット膜１１１の表面電荷に誘導されて対向電極１２１に反対極性の電荷が蓄積される（本実施形態においては、正電荷が対向電極１２１に蓄積される）。その後、エレクトレット基板１１０が回転し、エレクトレット膜１１１が対向電極１２１に正対しない状態となると、対向電極１２１に誘導され蓄積された電荷が掃き出され、整流回路６１により整流されて電気エネルギーとして取り出される。
【００５２】
同様に、対向基板１３０の対向電極１３１がエレクトレット膜１１２に正対している状態では、エレクトレット膜１１２の表面電荷に誘導されて対向電極１３１に反対極性の電荷が蓄積される（第本実施形態においては、正電荷が対向電極１３１に蓄積される）。その後、エレクトレット基板１１０が回転し、エレクトレット膜１１２が対向電極１３１に正対しない状態となると、対向電極１３１に誘導され蓄積された電荷が掃き出され、整流回路６２により整流されて電気エネルギーとして取り出される。
【００５３】
なお、図７においては、対向電極１２１と対向電極１３１とが周方向についての位相が異なるように、対向基板１２０及び対向基板１３０に配置されている例について示している。ただし、これに限られるものではなく、対向電極１２１と対向電極１３１は、周方向についての位相が同じになるように配置されていてもよい。
【００５４】
図８は、静電誘導型変換器を静電モータ２００として用いた際の作動原理の一例を説明する概略回路図である。この場合においても、エレクトレット基板１１０と対向基板１２０、１３０とは、所定のわずかな間隔を空けて対向して配置されている。また、エレクトレット基板１１０が回転することにより、エレクトレット膜１１１と対向電極１２１とが正対する状態とそうでない状態が入れ替わり、かつ、エレクトレット膜１１２と対向電極１３１とが正対する状態とそうでない状態が入れ替わる。
【００５５】
エレクトレット膜１１１、１１２は、所定の帯電状態となるように形成されている。本実施形態においては、エレクトレット膜１１１、１１２は、共に負電荷を持つように帯電している。また、対向電極１２１と対向電極１３１は、周方向についての位相が異なるように対向基板１２０及び対向基板１３０に配置されている。制御回路４０は、エレクトレット膜１１１、１１２の帯電状態の逆電荷が所定のタイミングで印加されるように静電モータ駆動回路５０に含まれるスイッチ６３を制御する。
【００５６】
対向電極１２１と対向電極１３１のいずれか片方にエレクトレット膜１１１、１１２の帯電状態の逆電荷が印加されると、静電気力により、エレクトレット膜１１１又はエレクトレット膜１１２が、逆電荷が印加された対向電極に正対するようエレクトレット基板１１０が回転する。スイッチ６３を適宜切り替えて対向電極１２１と対向電極１３１の逆電荷の印加の有無を交互にタイミングよく切り替えると、エレクトレット基板１１０を連続的に回転運動させることができる。エレクトレット基板１１０の回転に伴い回転軸１５０が回転することとなる。これにより、静電モータ２００において回転運動を取り出すことができる。
【００５７】
以上説明した静電誘導型変換器を発電装置１００又は静電モータ２００として使用するための回路構成は一例であり、各種部材の配置を含め、他の構成を採用してもよい。
【００５８】
なお、本実施形態においては、エレクトレット基板１１０の両面にエレクトレット膜が設けられる例について説明したが、これに限られるものではなく、片面のみにエレクトレット膜が設けられるものであってもよい。その場合、エレクトレット膜が設けられる側にのみ、エレクトレット膜と対向する対向電極が配置されているとよい。
【００５９】
［湿度状態の管理］
さらに、図１、図２、図９等を参照して、本実施形態におけるケース内の湿度状態の管理について説明する。図９は、本実施形態の日車を示す平面図である。
【００６０】
腕時計１は、ケース３１内の湿気を吸収することにより、ケース３１内の湿度を下げる乾燥剤８０を含んでいる。乾燥剤８０は、湿気等の水分と化学反応を起こすことにより組成が変わり、膨張する物質、例えば、酸化カルシウムを含むとよい。ただし、これに限られるものではなく、ゼオライト等を含み、湿気の吸収と吐き出しを繰り返すような材料を含むものを用いても構わない。
【００６１】
本実施形態において、図２に示すように、乾燥剤８０は、裏蓋３１２の内面３１２ａ上に配置されるシート状の部材である。乾燥剤８０は、接着剤等により裏蓋３１２の内面３１２ａ上に固定されているとよい。ユーザ等は、胴３１１から裏蓋３１２を取り外すことにより、乾燥剤８０を露出させて、接着剤を剥がすことにより、乾燥剤８０を交換することができる。ただし、これに限られるものではなく、ケース３１内の湿気を吸収するものであれば、その形状や配置等は任意である。
【００６２】
乾燥剤８０は、湿気の吸収量が所定の閾値を超えた場合、ケース３１内の湿気を吸収するという機能を十分に発揮できなくなる。乾燥剤８０が、その機能を十分に発揮できない状態においては、ケース３１内の湿度が上昇し、腕時計１が備える各種電子機器等の動作に影響が出てしまう可能性ある。
【００６３】
特に、静電誘導型変換器を含む腕時計１においては、ケース３１内の湿度が上昇した場合、エレクトレット膜１１１、１１２の帯電状態（帯電電圧）に影響がでるおそれがある。例えば、エレクトレット膜１１１、１１２から電荷が漏れてしまい、その結果、適度な帯電電圧を維持できなくなってしまうおそれがある。このようにエレクトレット膜１１１、１１２の帯電状態に影響が出てしまうと、発電装置１００における発電効率が低下したり、静電モータ２００による運針の精度が低下したりしてしまう。
【００６４】
そのため、乾燥剤８０が、その機能を十分に発揮できなくなった場合、新しい乾燥剤に交換する必要がある。
【００６５】
そこで、ケース３１内の湿度状態を示す湿度状態表示材料である湿度インジケータ９０を、ケース３１内に設けた。本実施形態においては、塩化コバルトからなる湿度インジケータ９０を採用した。塩化コバルトからなる湿度インジケータ９０は、常湿環境下において、青色であり、所定の湿度よりも湿度の高い高湿度環境下において、赤色に変化する。また、塩化コバルトからなる湿度インジケータ９０は、赤色に変化した場合であっても、乾燥剤８０が湿気を吸収することにより、再度青色に変化する。なお、湿度インジケータ９０は塩化コバルトからなるものに限られるものではなく、湿度状態に応じて変色するものであれば他の材料を用いても構わない。
【００６６】
ユーザは、湿度インジケータ９０が、赤色に変化したことを確認することにより、乾燥剤８０がその機能を十分に発揮できない状態にあることを認識することができる。すなわち、湿度インジケータ９０は、変色することにより、ユーザに対して乾燥剤８０の交換を促す役割を担うものである。
【００６７】
本実施形態においては、日車４２に表される表示項目である数字の一つを、湿度インジケータ９０で表すこととした。
【００６８】
日車４２は、図９中の矢印Ｒ方向に回転可能に、不図示の日車受けによって支持されているとよい。また、日車４２は、中央部に孔が形成されたドーナツ形状であるとよい。日車４２のうち文字板３２に対向する面（上面）には、日にちを表す数字１〜３１が、回転方向に並んで表されている。なお、図９においては、２〜２９の数字については省略して図示している。
【００６９】
日車４２が回転駆動することにより、１〜３１の数字が順次、窓３２０を介して視認される位置に移動する。すなわち、日車４２が回転駆動することにより、１〜３１の数字が順次、窓３２０の直下に位置することとなる。例えば、腕時計１の内部時刻が１月２４日の２３時５９分５９秒から１月２５日の０時０分０秒に変わるタイミングにおいて、日車４２は、窓３２０を介して数字「２４」を視認させる状態から、窓３２０を介して数字「２５」を視認させる状態になるように、回転駆動する。
【００７０】
本実施形態においては、日車４２に表される数字「１」を、ケース３１内の湿度状態を示す湿度インジケータ９０として表した。１以外の数字については、例えば、刻印又は印刷された黒色で表されるものであるとよい。なお、図９においては、数字「１」を薄い黒で示しているが、実際には青色又は赤色で表されている。図１０〜図１２においても同様とする。
【００７１】
ただし、これに限られるものではなく、「１」以外の数字が湿度インジケータにより表されるものであっても構わない。また、日にちを示す数字以外の文字やマークを、湿度インジケータ９０により表しても構わない。例えば、図９に示す数字１と３１との間に表される基準位置マークＭを、湿度インジケータ９０としてもよい。なお、基準位置マークＭは、日車４２の回転方向における位置を合わせる際に基準となる目印として、日車４２の表面に表されるものである。
【００７２】
ここで、湿度インジケータ９０は、青色又は赤色の文字としてユーザに視認されるものであるが、その色は必ずしも鮮やかなものではないため、デザイン性の観点から、目立ちにくい位置に配置されることが好ましい。その一方で、湿度インジケータ９０は、その色により、乾燥剤８０の交換時期をユーザに認識させる役割を担うため、ユーザが視認できる位置に配置されることが好ましい。
【００７３】
本実施形態の構成においては、湿度インジケータ９０である数字の「１」は、２８日間〜３１日間に１度、窓３２０を介して外部から視認されることとなる。すなわち、外部から視認される期間が限定的であり、ユーザが視認できる位置に常時あるわけではない。そのため、腕時計１のデザイン性が低下することが抑制される。
【００７４】
また、少なくとも１ヶ月に１度は、窓３２０を介して湿度インジケータ９０を視認する機会が得られることより、ユーザは乾燥剤８０の交換時期を管理することができる。
【００７５】
また、上述のように、基準位置マークＭを湿度インジケータ９０により表した場合においては、腕時計１のデザイン性が低下することをより抑制することができる。基準位置マークＭは、日車４２の位置合わせを行う際に、窓３２０を介して外部から視認される位置に移動されるものであり、外部から視認される時期が限定的であるためである。
【００７６】
なお、湿度インジケータ９０が設けられる表示板は、日車４２に限られるものではなく、例えば、図１０に示す曜車５２であっても構わない。
【００７７】
曜車５２は、文字板３２の下方に回転可能に配置されており、曜日を表す表示項目である文字が回転方向に並んで表されているとよい。図１０においては、曜日を表す漢字と、曜日の略語を表すローマ字が交互に表されている例について示している。これら曜日を示す文字は、文字板３２に形成される窓を介して、外部から視認されるとよい。
【００７８】
また、曜日を示す文字のうち、例えば、土曜日を示す文字を湿度インジケータ９０で表すとよい。土曜日は、一般的に、青色で表されることが多い。すなわち、塩化コバルトからなる湿度インジケータ９０の変色前の色に対応しており、「土」、「ＳＡＴ」が青色で表されていても、ユーザにとって違和感がない。また、上述のように、乾燥剤８０の吸湿機能が低下した場合、塩化コバルトからなる湿度インジケータ９０は青色から赤色になる。土曜日を示す文字が赤色で表されることは希であるため、ユーザは、湿度インジケータ９０の変色に気づきやすい。そのため、ユーザは、乾燥剤８０の交換時期を適切に管理できることとなる。また、通常、他の曜日と異なる色で示されるという点を勘案して、土曜日ではなく、日曜日を示す文字を湿度インジケータ９０により表してもよい。
【００７９】
また、図１１に示すように、土曜日を表す表示項目のうち文字部分の背景を、湿度インジケータ９０により表してもよい。この場合、表示項目のうち文字部分（すなわち、図１１に示す「ＳＡＴ」）を、湿度インジケータ９０と異なる色（例えば、白色）にするとよい。このような構成にすることにより、湿度インジケータ９０の面積を大きくとることができ、ユーザは、湿度インジケータ９０の変色に気づきやすくなる。
【００８０】
また、図１２に示すように、湿度インジケータ９０が設けられる表示板は、表示項目として現在設定されているタイムゾーンの代表都市の名前を示すタイムゾーン表示板５３であってもよい。図１２においては、都市の略名を示すローマ字が表されている例について示している。例えば、タイムゾーン表示板５３は、腕時計１が有する受信回路が受信した信号に含まれるタイムゾーンの関する情報に基づいて回転駆動するものであるとよい。例えば、腕時計１を装着したユーザがロンドンにいる場合、タイムゾーン表示板５３は、文字板３２に形成される窓を介して、「ＬＯＮ」が外部から視認できる位置に回転駆動するとよい。または、ユーザが竜頭８１等の操作部を操作することによりタイムゾーンを設定する機能を腕時計１が有しており、現在設定されているタイムゾーンに基づいて、タイムゾーン表示板５３を回転駆動するものであってもよい。
【００８１】
図１２においては、タイムゾーン表示板５３に表される文字のうち協定世界時を示す文字「ＵＴＣ」を湿度インジケータ９０により表した例について示している。ユーザが協定世界時をタイムゾーンとして設定することは希であるため、「ＵＴＣ」を湿度インジケータ９０により表すことにより、湿度インジケータ９０が目立つことによるデザイン性の低下を抑制することができる。
【００８２】
なお、図９〜図１２においては、表示項目の１つが湿度インジケータ９０により表される例について示したが、これに限られるものではない。例えば、２つ以上の表示項目が湿度インジケータ９０により表されてもよいし、表示項目を構成する文字のうち１文字のみが湿度インジケータ９０により表されてもよい。例えば、「ＵＴＣ］のうち「Ｔ」のみを湿度インジケータ９０により表してもよい。さらに、文字の一部のみを湿度インジケータ９０により表してもよい。例えば、「Ｔ」のうち上部の横棒の部分のみを湿度インジケータ９０により表してもよい。
【００８３】
また、腕時計１は、表示板として、日車４２、曜車５２、タイムゾーン表示板５３をそれぞれ備えていてもよい。その場合、文字板３２は、日車４２、曜車５２、タイムゾーン表示板５３に表される表示項目を外部から視認させる窓を複数有しているとよい。そして、それら表示板に表される表示項目の少なくとも一部がそれぞれ湿度インジケータ９０により表されるとよい。
【００８４】
［日車４２の回転駆動制御］
さらに、図１３を参照して、日車４２の回転駆動の制御の例について説明する。なお、図１３においては、日車４２の回転駆動の制御の説明に必要な構成のみを示しているが、腕時計１全体の構成は、図３で示したものと同様とする。なお、ここでは、表示板として日車４２を用いた例について説明するが、上述の曜車５２、タイムゾーン表示板５３においても、同様の制御を適用してもよい。
【００８５】
日車４２は、通常、１日おきに回転駆動をするものであり、上述のように、湿度インジケータ９０は１ヶ月に１度、外部から視認される位置に移動されることとなる。すなわち、湿度インジケータ９０は、所定の期間毎に定期的にユーザが確認出来る状態となる。
【００８６】
一方で、乾燥剤８０の交換が必要となるタイミングは、腕時計１が置かれる湿度環境下により変わるものである。乾燥剤８０の交換が必要であるタイミングになったにも関わらず、湿度インジケータ９０が長期間外部から視認できない状態が続くと好ましくない。そこで、湿度インジケータ９０をユーザが確認すべきタイミングにおいて、湿度インジケータ９０が、窓３２０を介して視認される位置に移動するよう、日車４２を回転駆動させる構成を採用するとよい。以下、具体的に説明する。
【００８７】
腕時計１は、図３で示した構成に加えて、図１３に示すように、発電量検出回路９１、回転検出回路９２、表示板移動回路である日車駆動回路９３を含むとよい。
【００８８】
発電量検出回路９１は、発電装置１００による発電量を検出する回路である。発電量検出回路９１は、例えば、エレクトレット基板１１０が回転することにより生じる誘導電流の電流値に基づいて発電量を検出するとよい。
【００８９】
回転検出回路９２は、回転錘１５の回転を検出するセンサを含むとよい。回転検出回路９２は、回転錘１５の位置、速度、回転数など回転錘１５の動きを検出するものであるとよい。回転検出回路９２は、例えば、加速度センサを含むとよい。また、回転検出回路は、回転錘１５の機械的変位量を電気信号に変換し、その電気信号に基づいて位置、速度などを検出するエンコーダ等であってもよい。なお、回転錘１５の回転を直接的に検出するものに限られるものではなく、回転錘１５の回転に伴い回転する輪列やエレクトレット基板１１０等の駆動機構の回転を検出するものであってもよい。すなわち、回転錘１５の回転を間接的に検出するものであってもよい。
【００９０】
日車駆動回路９３は、制御回路４０により動作を制御されることにより、日車４２を回転駆動させる回路である。日車駆動回路９３は、少なくとも、腕時計１の内部時刻が２３時５９分５９秒から０時０分０秒になるタイミングにおいて、日車４２を回転駆動させる。
【００９１】
上述のように、発電装置１００は、回転錘１５の回転に応じて発電を行う。具体的には、発電装置１００においては、回転錘１５が回転することによりエレクトレット基板１１０が回転し、エレクトレット膜１１１、１１２が対向電極１２１、１３１に正対する状態と正対しない状態とが交互に訪れ、正対しない状態において、対向電極１２１、１３１に蓄積された電荷が掃き出され、整流回路６１、６２により整流されて、電気エネルギーとして取り出される。
【００９２】
発電量検出回路９１は、取り出された電気エネルギーとして所定の電流値を検出する。ここで、回転錘１５の回転と、発電量検出回路９１が検出した電流値とは、相関性を有している。すなわち、回転錘１５が所定の回転を行った場合、発電量検出回路９１が所定の電流値を検出する。
【００９３】
回転錘１５が所定の回転を行ったにも関わらず、発電量検出回路９１が所定の電流値を検出しなかった場合、発電装置１００が正常に機能していないといえる。その原因の一つとして、乾燥剤８０がその機能を十分に発揮できず、ケース３１内の湿度が上昇し、エレクトレット膜１１１、１１２の帯電状態に影響があったことが考えられる。
【００９４】
そこで、制御回路４０は、回転検出回路９２により回転錘１５の回転を検出し、検出された回転錘１５の回転に応じた所定の電流値が発電量検出回路９１により検出されなかった場合、日車駆動回路９３を制御することとした。具体的には、制御回路４０が、湿度インジケータ９０が窓３２０を介して視認される位置にくるように日車４２を回転駆動させるように、日車駆動回路９３を制御することとした。
【００９５】
また、本実施形態においては、例えば、回転錘１５の回転に伴いエレクトレット基板１１０が回転し、それにより生じた誘導電流の電流値が所定の閾値以上となった場合に、電池２０の充電が行われることとするとよい。この場合、回転錘１５の初動のタイミングから、電池２０の充電が行われるまで時間との関係に基づいて、発電装置１００が正常に機能しているか否かを判定するとよい。
【００９６】
以上のような構成を採用することにより、乾燥剤８０がその機能を十分に発揮できなくなった可能性の高い時期において、ユーザに対して湿度インジケータ９０を視認させることができる。これにより、ユーザは、乾燥剤８０の交換時期を適切に管理することが可能となる。
【００９７】
また、制御回路４０は、電池２０の電池電圧が低下した際に、電力消費を抑制する、節電モードや停止モードに切り替える制御を行ってもよい。節電モードは、腕時計１の一部の機能を停止するモードであり、例えば、秒針２の運針を停止するモードである。停止モードは、制御回路４０を停止し、制御回路４０と電池２０間の接続を遮断し、電池２０の過放電を防止するモードである。
【００９８】
そして、制御回路４０が、通常運針モードから、節電モード又は停止モードの少なくともいずれのモードに切り替えた際に、窓３２０を介して湿度インジケータ９０が外部から視認される位置に移動されるように日車駆動回路９３を制御するとよい。節電モード又は停止モードに切り変わることの原因の一つとして、ケース３１内の湿度上昇によって発電装置１００の発電機能が十分に発揮されておらず、電池２０の電池電圧が低下していることが考えられるためである。
【００９９】
さらに、制御回路４０が、窓３２０を介して湿度インジケータ９０が外部から視認される位置に移動されるように日車駆動回路９３を制御する頻度を、腕時計１の使用日数に応じて決定してもよい。例えば、腕時計１の使用開始から３年以内においては、半年に１回、制御回路４０が、窓３２０を介して湿度インジケータ９０が外部から視認される位置に移動されるように日車駆動回路９３を制御することとするとよい。具体的には、例えば、制御回路４０が、６月１日の１２：００と、１２月１日の１２：００に１分間、窓３２０を介して湿度インジケータ９０が外部から視認される位置に移動されるように日車駆動回路９３を制御することとするとよい。このように、ユーザが、湿度インジケータ９０が外部から視認されるタイミングを予め把握できることとすることにより、乾燥剤８０の交換時期を適切に管理することができる。
【０１００】
また、例えば、腕時計１の使用開始から３年以降であって６年以内においては３ヶ月に１回、使用開始から６年以降であって９年以内においては１ヶ月に１回、制御回路４０が、窓３２０を介して湿度インジケータ９０が外部から視認される位置に移動されるように日車駆動回路９３を制御することとするとよい。このように、使用日数が多くなるほど、湿度インジケータ９０が外部から視認される位置に移動する頻度を上げることにより、ユーザは乾燥剤８０の交換時期をより適切に管理することができる。なお、制御回路４０は、腕時計１の使用期間の計時を、例えば、腕時計１の初期設定が行われたタイミングから開始するとよい。
【０１０１】
［製造工程における良品判定］
本実施形態の構成は、製造工程における腕時計１の良品判定に用いることもできる。具体的には、まず、常湿環境下において、塩化コバルトからなる湿度インジケータ９０と乾燥剤８０を収容すると共にケース３１を組み立てる。この際、制御回路４０は、湿度インジケータ９０が窓３２０を介して外部から視認される位置に移動するように日車駆動回路９３を制御するとよい。そして、組み立てたケース３１を、高湿環境下に移動し、保存する。
【０１０２】
そして、予め決められた所定時間において、湿度インジケータ９０が赤色から青色に変色したか否かを確認する。所定時間において湿度インジケータ９０の色が赤色から青色に変わらなかった場合、ケース３１が精度良く密閉されておらず、ケース３１の外部から湿気が入り込みやすい構成になっていることが分かる。すなわち、不良品であると判定できる。一方で、所定時間において湿度インジケータ９０の色が赤色から青色に変わった場合、ケース３１が精度良く密閉されていると判定できる。すなわち、良品であると判定できる。なお、上記のように、ケース３１の組立てを常湿環境下で行い、湿度インジケータ９０の色の変化の確認を高湿環境下で行うことにより、ケース３１内への湿気流入量を大きくでき、より迅速かつ正確に良品と不良品を区別することができる。
【０１０３】
なお、上記実施形態においては、表示板として、回転駆動する円板状の回転板を示したが、これに限られるものではない。表示板は、表示項目の位置を、窓３２０に対して相対的に移動させるものであればよい。例えば、表示板は、直進運動を行うことにより、表示項目の位置を、窓３２０に対して相対的に移動させるものであってもよい。
【０１０４】
また、上記実施形態においては、発電装置として、静電誘導型の発電装置１００を示したが、これに限られるものではなく、腕時計１は、太陽電池等を備えるものであってもよい。
【０１０５】
また、上記実施形態においては、腕時計１を示したが、これに限られるものではなく、例えば、照明機器等の他の電子機器であってもよい。
【０１０６】
以上、本発明に係る実施形態について説明したが、この実施形態に示した具体的な構成は一例として示したものであり、本発明の技術的範囲をこれに限定することは意図されていない。当業者は、これら開示された実施形態を適宜変形してもよく、本明細書にて開示される発明の技術的範囲は、そのようになされた変形をも含むものと理解すべきである。
【符号の説明】
【０１０７】
１  腕時計、２  秒針、３  分針、４  時針、５  輪列、６輪列、１５  回転錘、２０  電池、３１  ケース、３１１  胴、３１２  裏蓋、３２  文字板、３２０  窓、３３  時字、３５  風防、３８  ムーブメント、４０  制御回路、４２  日車、５２  曜車、５３  タイムゾーン表示板、６０  電磁モータ駆動回路、６１，６２  整流回路、６３  スイッチ、７０  電磁モータ、８０  乾燥剤、８１  竜頭、９０  湿度インジケータ、９１  発電量検出回路、９２  回転検出回路、９３  日車駆動回路、１００  発電装置、１１０  エレクトレット基板、１１１，１１２  エレクトレット膜、１２０，１３０  対向基板、１２１，１２２，１３１，１３２  対向電極、２００  静電モータ。
【図１】
2020176973.tif 000003
【図２】
2020176973.tif 000004
【図３】
2020176973.tif 000005
【図４】
2020176973.tif 000006
【図５】
2020176973.tif 000007
【図６】
2020176973.tif 000008
【図７】
2020176973.tif 000009
【図８】
2020176973.tif 000010
【図９】
2020176973.tif 000011
【図１０】
2020176973.tif 000012
【図１１】
2020176973.tif 000013
【図１２】
2020176973.tif 000014
【図１３】
2020176973.tif 000015